(57)【特許請求の範囲】
【請求項１】
角筒形状コンクリート成形体を成形するため、外枠と内枠の間にコンクリートを充填して硬化し、脱型時に外枠を外側に開き、内枠をすぼめる型枠において、
角筒形状の内枠は前後又は左右に分割して２個の分割内枠にし、２個の両側の分割内枠はそれぞれ両端の分割側板とその間の非分割側板で平面形状をコの字形状にし、
分割側板は、非分割側板側の端を折り目とし、内枠中心側に折り曲げ可能、回転移動可能にし、両端の分割側板は平面形状をハの字形状に変形可能にし、
両端の分割側板の間にはその両端の分割側板を内枠中心側に引っ張って平面形状をハの字形状に変形させるパンタグラフ式ジャッキを装置し、
パンタグラフ式ジャッキは螺軸を非分割側板と直交する横方向に配置し、螺軸は非分割側板側と反対側の端を操作部にし、作業者が内枠の内側に位置して螺軸の操作部を回転操作する構成にし、
また、両側の分割内枠は、それぞれ、両端の分割側板をハの字形状の平面形状にした状態で内枠中心側に直線移動可能にし、
内枠の脱型時、両側の分割内枠は、それぞれ、パンタグラフ式ジャッキの操作部を回転操作し、両端の分割側板をそれぞれ内枠中心側に回転移動させて、分割側板を角筒形状コンクリート成形体の内面から剥離し、次に、両側の分割内枠は、それぞれ、両端の分割側板をハの字形状の平面形状にした状態で、内枠中心側に直線移動させ、非分割側板を角筒形状コンクリート成形体の内面から剥離し、分割内枠の移動した跡を分割内枠の外面を掃除する空間にする構成にしたことを特徴とする角筒形状コンクリート成形体の型枠。
【請求項２】
分割内枠は、直線移動し易くするため、車輪を付けてレールの上に載せる構成にしたことを特徴とする請求項１に記載の角筒形状コンクリート成形体の型枠。
【請求項３】
分割側板は、回転移動し易くて直線移動し易くするため、キャスタを付けことを特徴とする請求項１又は２に記載の角筒形状コンクリート成形体の型枠。
【請求項４】
分割内枠をねじ棒の回転で押したり引いたりする直線移動駆動機構を設けたことを特徴とする請求項１、２又は３に記載の角筒形状コンクリート成形体の型枠。
【請求項５】
分割側板は、非分割側板と反対側の端面を傾斜して傾斜端面にし、
両端の分割側板の傾斜端面は、一側の第１の分割内枠では外向き、他側の第２の分割内枠では内向きにし、
両端の分割側板を回転移動させる際、最初に一側の第１分割内枠で分割側板を回転移動し、次に、他側の第２分割内枠で回転移動する構成にしたことを特徴とする請求項１〜４のいずれかに記載の角筒形状コンクリート成形体の型枠。
【請求項６】
分割側板を内枠中心側に回転する角度、回転移動の量は、一側の第１の分割内枠では多くし、他側の第２の分割内枠では少なくし、分割内枠を直線移動させる際、一側の第１分割内枠の分割側板と他側の第２分割内枠の分割側板が擦れ違うような値にしていることを特徴とする請求項１〜５のいずれかに記載の角筒形状コンクリート成形体の型枠。
【発明の詳細な説明】
【技術分野】
【０００１】
本発明は、角筒形状のコンクリート成形体を成形する型枠に関する。
【背景技術】
【０００２】
ボックスカルバートなどの角筒形状のコンクリート成形体用の型枠は、角筒形状の外枠と内枠を縦に配置する。内外の両枠の間にはコンクリートを充填して養生する。コンクリートの硬化後、脱型する。脱型は、外枠を外側に開き、内枠をすぼめて上側に抜き出す。内枠は、外枠の外側に置いて掃除する。
【０００３】
内枠は、脱型時にすぼめるため、前後又は左右に向い合う両側の側板が中央位置の縦線を折り目にして内側に折れ曲る構成にしている。折曲可能な側板の間には、その側板の中央部を内枠中心側に引っ張るパンタグラフ式ジャッキを装置している。
【０００４】
パンタグラフ式ジャッキは、移動体に螺孔を貫通し、螺孔に螺軸を螺合して貫通している。螺軸は、縦に配置して上端を操作部にしている。移動体は、両側にそれぞれリンクの一端を回転可能に連結している。両側のリンクは、それぞれ、他端を折曲可能な側板の中央部に回転可能に連結している。両側のリンクは、それぞれ、横方向から上側又は下側に少し傾斜している。内枠をすぼめるときには、螺軸の操作部を回転工具で回転操作する。すると、螺軸の回転で移動体が上下方向に移動し、両側のリンクの傾斜が大きくなり、両側の側板が内側に折れ曲る。
【先行技術文献】
【特許文献】
【０００５】
【特許文献１】特公昭６３−１５８８５号公報
【特許文献２】実開平２−６８１０７号公報
【発明の概要】
【発明が解決しようとする課題】
【０００６】
［課  題］
上記のような型枠の脱型時、作業者は、内枠をすぼめるパンタグラフ式ジャッキを操作するため、型枠に登って螺軸の上端を回転操作する。パンタグラフ式ジャッキの操作、内枠をすぼめる操作が高所作業になって危険である。
【０００７】
また、内枠は、すぼめた後、クレーンで吊り上げて抜き出し、外枠外側の置き場所に運ぶ。内枠の置き場所が必要となる。置き場所で内枠が倒れるおそれがあって危険である。
【０００８】
［構  想］
角筒形状の内枠は、前後又は左右に分割し、２個の分割内枠にする。２個の両側の分割内枠は、それぞれ、両端の分割側板とその間の非分割側板で平面形状をコの字形状にする。分割側板は、非分割側板側の端を折り目とし、内枠中心側に折り曲げ可能、回転移動可能にする。両端の分割側板は、平面形状をハの字形状に変形可能にする。そして、両端の分割側板の間には、その両端の分割側板を内枠中心側に引っ張って平面形状をハの字形状に変形させるパンタグラフ式ジャッキを装置する。
【０００９】
パンタグラフ式ジャッキは、螺軸を縦ではなく、横にする。螺軸は、非分割側板と直交する横方向に配置し、非分割側板側と反対側の端を操作部にする。作業者は、内枠の内側に位置して螺軸の操作部を回転操作する。危険な高所作業が必要ない。
【００１０】
また、両側の分割内枠は、それぞれ、両端の分割側板をハの字形状の平面形状にした状態で内枠中心側に直線移動可能にする。
【００１１】
内枠の脱型時、両側の分割内枠は、それぞれ、パンタグラフ式ジャッキの操作部を回転操作し、両端の分割側板をそれぞれ内枠中心側に回転移動させる。分割側板が角筒形状コンクリート成形体の内面から剥離する。次に、両側の分割内枠は、それぞれ、両端の分割側板をハの字形状の平面形状にした状態で、内枠中心側に直線移動、前進させる。非分割側板が角筒形状コンクリート成形体の内面から剥離する。分割内枠の移動した跡が空間になる。その空間は掃除道具を挿入可能にする。分割内枠の外面、成形用の面は掃除が可能になる。内枠の置き場所が必要ない。
【００１２】
なお、分割内枠の前進時に両側の分割内枠の分割側板同士が衝突するのを避けるため、両端の分割側板を内枠中心側に回転する角度、回転移動の量は、一側の分割内枠で多くして他側の分割内枠で少なくする。一側の分割内枠の分割側板と他側の分割内枠の分割側板が擦れ違うような値にする。
【００１３】
また、好ましくは、分割内枠は、直線移動し易くするため、車輪を付けてレールの上に載せる。分割側板は、回転移動し易くて直線移動し易くするため、キャスタを付ける。更に、分割内枠をねじ棒の回転で押したり引いたりする直線移動駆動機構を設ける。
【課題を解決するための手段】
【００１４】
１．角筒形状コンクリート成形体を成形するため、外枠と内枠の間にコンクリートを充填して硬化し、脱型時に外枠を外側に開き、内枠をすぼめる型枠において、
角筒形状の内枠は前後又は左右に分割して２個の分割内枠にし、２個の両側の分割内枠はそれぞれ両端の分割側板とその間の非分割側板で平面形状をコの字形状にし、
分割側板は、非分割側板側の端を折り目とし、内枠中心側に折り曲げ可能、回転移動可能にし、両端の分割側板は平面形状をハの字形状に変形可能にし、
両端の分割側板の間にはその両端の分割側板を内枠中心側に引っ張って平面形状をハの字形状に変形させるパンタグラフ式ジャッキを装置し、
パンタグラフ式ジャッキは螺軸を非分割側板と直交する横方向に配置し、螺軸は非分割側板側と反対側の端を操作部にし、作業者が内枠の内側に位置して螺軸の操作部を回転操作する構成にし、
また、両側の分割内枠は、それぞれ、両端の分割側板をハの字形状の平面形状にした状態で内枠中心側に直線移動可能にし、
内枠の脱型時、両側の分割内枠は、それぞれ、パンタグラフ式ジャッキの操作部を回転操作し、両端の分割側板をそれぞれ内枠中心側に回転移動させて、分割側板を角筒形状コンクリート成形体の内面から剥離し、次に、両側の分割内枠は、それぞれ、両端の分割側板をハの字形状の平面形状にした状態で、内枠中心側に直線移動させ、非分割側板を角筒形状コンクリート成形体の内面から剥離し、分割内枠の移動した跡を分割内枠の外面を掃除する空間にする構成にしたことを特徴とする角筒形状コンクリート成形体の型枠。
２．上記１の角筒形状コンクリート成形体の型枠において、
分割内枠は、直線移動し易くするため、車輪を付けてレールの上に載せる構成にしたことを特徴とする。
３．上記１又は２の角筒形状コンクリート成形体の型枠において、
分割側板は、回転移動し易くて直線移動し易くするため、キャスタを付けことを特徴とする。
４．上記１、２又は３の角筒形状コンクリート成形体の型枠において、
分割内枠をねじ棒の回転で押したり引いたりする直線移動駆動機構を設けたことを特徴とする。
５．上記１〜４のいずれかの角筒形状コンクリート成形体の型枠において、
分割側板は、非分割側板と反対側の端面を傾斜して傾斜端面にし、
両端の分割側板の傾斜端面は、一側の第１の分割内枠では外向き、他側の第２の分割内枠では内向きにし、
両端の分割側板を回転移動させる際、最初に一側の第１分割内枠で分割側板を回転移動し、次に、他側の第２分割内枠で回転移動する構成にしたことを特徴とする。
６．上記１〜５のいずれかの角筒形状コンクリート成形体の型枠において、
分割側板を内枠中心側に回転する角度、回転移動の量は、一側の第１の分割内枠では多くし、他側の第２の分割内枠では少なくし、分割内枠を直線移動させる際、一側の第１分割内枠の分割側板と他側の第２分割内枠の分割側板が擦れ違うような値にしていることを特徴とする。
【発明の効果】
【００１５】
角筒形状コンクリート成形体の脱型時、内枠をすぼめる操作に危険な高所作業が必要ない。内枠の置き場所が必要ない。
【図面の簡単な説明】
【００１６】
【図１】本発明の実施形態における角筒形状コンクリート成形体の型枠の内枠の平面図。
【図２】図１のＡ−Ａ線断面図。
【図３】同内枠の後側の第１分割内枠の正面図。
【図４】同内枠の両側の分割内枠でそれぞれ分割側板を回転移動させた状態を示す平面図。
【図５】同両側の分割内枠をそれぞれ直線移動させた状態を示す平面図。
【図６】同型枠にコンクリートを充填した状態を示す平面図。
【図７】図６のＢ−Ｂ線断面図。
【図８】同型枠の脱型時に外枠を外側に開き内枠の両側の分割内枠でそれぞれ分割側板を回転移動させた状態を示す平面図。
【図９】同内枠の両側の分割内枠をそれぞれ直線移動させた状態を示す平面図。
【発明を実施するための形態】
【００１７】
実施形態の型枠は、ボックスカルバートの角筒形状コンクリート成形体Ｃを成形する。ボックスカルバートは、内高、内幅と有効長をそれぞれ２ｍ位にしている。型枠は、内枠１と外枠３２を縦にして台１０の上に載せている。
【００１８】
内枠１は、図１に平面を示すように、四角筒形状にしている。四角筒形状の内枠１は、前後（図１の平面図では上下）に分割し、２個の分割内枠２、３にしている。前側と後側の分割内枠２、３は、それぞれ、左右の両端の分割側板４とその間の非分割側板５で平面形状をコの字形状にしている。なお、四角筒形状の内枠１は、外周の四隅を面取りしている。
【００１９】
分割内枠２、３は、図１〜図３に示すように、鋼板の外周板６と補強板７で構成している。外周板６は、鋼板を折り曲げて、平面形状を分割内枠２、３の外周形状、コの字形状にし、外面を成形用の面にしている。補強板７は、外周板６の内面に鋼板を溶接して固定し、縦方向と横方向に配列している。なお、分割内枠の分割側板４は、横方向の補強板７を面取り部分にまで延ばし、面取り部分を含んでいる。非分割側板５は、横方向の補強板７を面取り部分に延ばしておらず、面取り部分を含んでいない。
【００２０】
左右の両端の分割側板４は、図１に示すように、非分割側板５と反対側の端面８を傾斜し、傾斜端面８と外面との間の角度、端面傾斜角度を直角より大きい鈍角又は小さい鋭角にしている。端面傾斜角度は、後側の第１の分割内枠２では鈍角に、前側の第２の分割内枠３では鋭角にしている。その鈍角と鋭角の和を２直角にしている。両端の分割側板４の傾斜端面８は、後側の第１の分割内枠２では外向き、前側の第２の分割内枠３では内向きにしている。両側の第１と第２の分割内枠２、３は、両端の分割側板４の傾斜端面８同士を密接している。
【００２１】
前後の両側の分割内枠２、３は、図４に示すように、それぞれ、左右の両端の分割側板４を、台１０に固定せず、非分割側板５側の端を折り目とし、内枠中心側に折り曲げ可能、回転移動可能にしている。両端の分割側板４は、平面形状をハの字形状に変形可能にしている。そして、両端の分割側板４の間には、その両端の分割側板４を内枠中心側に引っ張って平面形状をハの字形状に変形させるパンタグラフ式ジャッキ１１を装置している。
【００２２】
パンタグラフ式ジャッキ１１は、図１〜図４に示すように、移動体１２の螺孔に螺軸１３を螺合して貫通している。螺軸１３は、配置方向を非分割側板５と直交する横方向、前後方向にし、配置高さを分割内枠２、３の高さの中頃にしている。螺軸１３の後端、非分割側板側の端を非分割側板５に回転可能で抜出不能に軸受している。螺軸１３の前端、非分割側板５側と反対側の端を操作部１４にしている。作業者が内枠１の内側に位置して回転工具で螺軸の操作部１４を回転操作する構成にしている。
【００２３】
移動体１２は、左右の両側にそれぞれリンク１５の一端を回転可能に連結している。左右の両側のリンク１５は、それぞれ、他端を左右の両端の分割側板４に回転可能に連結している。両側のリンク１５は、それぞれ、横方向、左右方向から前側又は後側に少し傾斜している。
【００２４】
分割内枠の両端の分割側板４をハの字形状の平面形状に変形させるときには、螺軸の操作部１４を回転操作する。すると、図４に示すように、螺軸１３の回転で移動体１２が前後方向に移動し、両側のリンク１５の傾斜が大きくなり、両端の分割側板４が内枠中心側に引っ張られて折れ曲がり、回転移動する。最初に後側の第１の分割内枠２で分割側板４を回転移動する。次に、前側の第２の分割内枠３で分割側板４を回転移動する。
【００２５】
また、前後の両側の分割内枠２、３は、台１０に固定せず、図５に示すように、それぞれ、両端の分割側板４をハの字形状の平面形状にした状態で内枠中心側に直線移動可能、前後動可能にしている。後側の第１分割内枠２は、前側の第２分割内枠３側に押したり引いたりすると、内枠中心側に前進する。前側の第２分割内枠３は、後側の第１分割内枠２側に押したり引いたりすると、内枠中心側に前進する。
【００２６】
なお、分割内枠の前進時に両側の分割内枠２、３の分割側板４同士が衝突するのを避けるため、分割側板４を内枠中心側に回転する角度、回転移動の量は、後側の第１分割内枠２では多くし、前側の第２分割内枠３では少なくしている。後側の第１分割内枠２の分割側板４と前側の第２分割内枠３の分割側板４が擦れ違うようになる値にしている。
【００２７】
分割内枠２、３の直線移動と分割側板４の回転移動を容易にする機構を設けている。非分割側板５は、左右の２個所の下にそれぞれ車輪２１を付けている。台１０は、左右の２個所の上にそれぞれレール２２を直線移動方向、前後方向に沿って敷いている。左右の車輪２１はそれぞれ左右のレール２２に載せている。分割側板４は、非分割側板５と反対側、傾斜端面８側の端部の下にキャスタ２３を付けている。車輪２１、レール２２とキャスタ２３は、分割内枠２、３を直線移動し易くしている。キャスタ２３は、分割側板４を回転移動し易くしている。
【００２８】
更に、分割内枠２、３をねじ棒２７の回転で押したり引いたりする直線移動駆動機構を設けている。台１０の上には固定具２６を固定して分割内枠２、３の内側になる位置に配置している。固定具２６は、Ｌ型にし、縦片部にねじ孔を前後方向に貫通し、ねじ孔にねじ棒２７を螺合して前後方向に貫通している。ねじ棒２７は、非分割側板５側の端を非分割側板５に回転可能で抜出不能に軸受している。ねじ棒２７の非分割側板５側と反対側の端を操作部２８にしている。作業者が内枠１の内側に位置して回転工具でねじ棒の操作部２８を回転操作する構成にしている。固定具２６は、縦片部を分割内枠２、３の前進止めにしている。分割内枠２、３の前進距離が所定量になると、分割内枠の非分割側板５が固定具２６の縦片部に当たる構成にしている。
【００２９】
実施形態の型枠は、ボックスカルバートの角筒形状コンクリート成形体を成形するとき、図６と図７に示すように、台１０の上に内枠１と下枠３１及び外枠３２を同心状に配置する。下枠３１は、内枠１と外枠３２で挟む。外枠３２は、内周面の上端部に上枠３３を固定する。コンクリートＣは、外枠上端の上枠３３と内枠１の上端の間の隙間から投入して、内枠１と外枠３２及び下枠３１と上枠３３の間の空間に充填する。コンクリートＣを養生して硬化した後、脱型する。
【００３０】
脱型は、図８に示すように、外枠３２を外側に開く。外枠３２は、前後左右の４枚の上枠３３付き側板をそれぞれ後退させる。各上枠３３付き側板は、それぞれ、ボックスカルバートのコンクリート成形体Ｃの外面から剥離する。
【００３１】
また、内枠１は、先ず、後側の第１分割内枠２において、パンタグラフ式ジャッキの操作部１４を回転操作し、両端の分割側板４をそれぞれ内枠中心側に多く回転移動させる。各分割側板４は、それぞれ、コンクリート成形体Ｃの内面から剥離する。次に、前側の第２分割内枠３において、パンタグラフ式ジャッキの操作部１４を回転操作し、両端の分割側板４をそれぞれ内枠中心側に少し回転移動させる。各分割側板４は、それぞれ、コンクリート成形体Ｃの内面から剥離する。
【００３２】
その後、両側の第１と第２の分割内枠２、３は、図９に示すように、それぞれ、両端の分割側板４をハの字形状の平面形状にした状態で、直線移動駆動機構の操作部２８を回転操作して、内枠中心側に前進させる。各非分割側板５は、それぞれ、コンクリート成形体Ｃの内面から剥離する。
【００３３】
分割内枠２、３の移動した跡が空間３６になる。その空間３６は掃除道具を挿入可能にする。分割内枠２、３の外面、成形用の面を掃除する掃除用空間になる。
【００３４】
［変形例］
本発明は、上記の実施形態に限定されない。次のような変形が例示される。
１．上記の実施形態において、内枠１は、四角筒形状にしているが、その他の多角筒形状にする。
２．上記の実施形態において、内枠１は、外周の隅、角を面取りしているが、面取りしない。
３．上記の実施形態において、内枠１は、前後に２分割して前側と後側の分割内枠２、３にしているが、左右に２分割して左側と右側の分割内枠にする。
４．上記の実施形態において、型枠で成形するボックスカルバートは、内高、内幅と有効長をそれぞれ２ｍ位にしているが、それよりも大型又は小型にする。
５．上記の実施形態において、型枠で成形する角筒形状コンクリート成形体Ｃは、ボックスカルバートにしているが、暗渠又はその他にする。
【符号の説明】
【００３５】
１  内枠
２、３  分割内枠
２  第１分割内枠
３  第２分割内枠
４  分割側板
５  非分割側板
６  外周板
７  補強板
８  分割側板の端面、傾斜端面
１０  台
１１  パンタグラフ式ジャッキ
１２  移動体
１３  螺軸
１４  操作部
１５  リンク
２１  車輪
２２  レール
２３  キャスタ
２６  固定具
２７  ねじ棒
２８  操作部
３１  下枠
３２  外枠
３３  上枠
３６  空間、掃除用空間
Ｃ  コンクリート、コンクリート成形体
【要約】
【課題】  角筒形状コンクリート成形体の脱型時、内枠をすぼめる操作に危険な高所作業を不要にする。内枠の置き場所を不要にする。
【解決手段】  内枠は２分割し、両側の分割内枠２、３は両端の分割側板４とその間の非分割側板５で平面形状をコの字形状にする。両端の分割側板は平面形状をハの字形状に変形可能にし、そのように変形させるパンタグラフ式のジャッキ１１を装置する。ジャッキは、螺軸１３を横方向に配置して螺軸の端を操作部１４にし、作業者が内枠内で回転操作する構成にする。分割内枠は、両端の分割側板をハの字形状にした状態で内枠中心側に直線移動可能にする。脱型時、両側の分割内枠はジャッキの操作で両端の分割側板をハの字形状に変形させてコンクリート成形体から剥離し、次に、両側の分割内枠は直線移動させ、非分割側板をコンクリート成形体から剥離し、分割内枠の移動した跡を分割内枠の外面を掃除する空間３６にする。
【選択図】  図１【図１】
0006752420.tif 000002
【図２】
0006752420.tif 000003
【図３】
0006752420.tif 000004
【図４】
0006752420.tif 000005
【図５】
0006752420.tif 000006
【図６】
0006752420.tif 000007
【図７】
0006752420.tif 000008
【図８】
0006752420.tif 000009
【図９】
0006752420.tif 000010